(57)【特許請求の範囲】
【請求項１】
ユーザ端末に対して協調マルチポイント送受信可能に構成された無線基地局であって、
前記ユーザ端末からフィードバックされる再送制御信号を判定する判定部と、各セルにおける受信品質情報を用いて協調マルチポイント送受信用のＣＱＩを更新するＣＱＩ更新部と、を有し、
前記ＣＱＩ更新部は、各セルにおける受信品質情報と、再送制御信号の内容に応じて数値が変化する変数と、で規定された計算式を用いて前記ＣＱＩを更新することを特徴とする無線基地局。
【請求項２】
前記ＣＱＩ更新部は、前記計算式として、再送制御信号の内容に応じて数値が変化するβが規定された以下の式１１を適用することを特徴とする請求項１に記載の無線基地局。
【数１０】
0005948099.tif 000011
【請求項３】
前記ＣＱＩ更新部は、前記再送制御信号がＡＣＫである場合に前記変数βの値を増やし、前記再送制御信号がＮＡＣＫである場合に前記変数βの値を減らすことを特徴とする請求項２に記載の無線基地局。
【請求項４】
ユーザ端末に対して協調マルチポイント送受信可能に構成された無線基地局であって、
前記ユーザ端末からフィードバックされる再送制御信号を判定する判定部と、各セルにおける受信品質情報及び前記ユーザ端末からフィードバックされる位相差情報を用いて協調マルチポイント送受信用のＣＱＩを更新するＣＱＩ更新部と、を有し、
前記位相差情報は、前記ユーザ端末において、各セルにおける受信品質の合成値（CQIaggregated）と、協調マルチポイント送受信用のＣＱＩの更新値（CQIUpdate）との差分値を考慮して決定されていることを特徴とする無線基地局。
【請求項５】
前記ＣＱＩ更新部は、以下の式１２を用いて前記ＣＱＩを更新することを特徴とする請求項４に記載の無線基地局。
【数１１】
0005948099.tif 000012
【請求項６】
前記ＣＱＩ更新部は、前記再送制御信号の内容に応じてβ及びｃｏｓ（θ）の一方又は双方の値を変化させることを特徴とする請求項５に記載の無線基地局。
【請求項７】
前記ＣＱＩ更新部は、前記再送制御信号がＡＣＫである場合に前記β及びｃｏｓ（θ）の一方又は双方の値の値を増やし、前記再送制御信号がＮＡＣＫである場合に前記β及びｃｏｓ（θ）の一方又は双方の値の値を減らすことを特徴とする請求項６に記載の無線基地局。
【請求項８】
複数の無線基地局と協調マルチポイント送受信可能に構成されたユーザ端末であって、
各セルにおける受信品質情報を生成する品質情報生成部と、
前記無線基地局から送信されたデータ信号の受信可否を判断して再送制御信号を生成する再送制御信号生成部と、
セル間の位相差情報を生成する位相差情報生成部と、
少なくとも前記再送制御信号及び前記位相差情報を無線基地局にフィードバックする送受信部と、を有し、
前記位相差情報生成部は、各セルの受信品質の合成値（CQIaggregated）と、協調マルチポイント送受信用のＣＱＩの更新値（CQIUpdate）との差分値を考慮して、前記位相差情報を決定することを特徴とするユーザ端末。
【請求項９】
前記位相差情報生成部は、前記各セルの受信品質の合成値（CQIaggregated）と、前記協調マルチポイント送受信用のＣＱＩの更新値（CQIUpdate）との差分値の絶対値が所定値未満となる複数の位相差情報を選択し、選択した複数の位相差情報の中から前記受信品質の合成値（CQIaggregated）が最大となる位相差情報を選択することを特徴とする請求項８に記載のユーザ端末。
【請求項１０】
複数の無線基地局と、前記複数の無線基地局と協調マルチポイント送受信可能に構成されたユーザ端末と、の無線通信方法であって、
前記ユーザ端末が、各セルにおける受信品質情報を生成するステップと、前記無線基地局から送信されたデータ信号の受信可否を判断して再送制御信号を生成するステップと、少なくとも前記再送制御信号を前記無線基地局にフィードバックするステップと、を有し、
前記無線基地局が、フィードバックされた再送制御信号を判定するステップと、各セルにおける受信品質情報を用いて協調マルチポイント送受信用のＣＱＩを更新するステップと、を有し、前記ＣＱＩの更新において、各セルにおける受信品質情報と、再送制御信号の内容に応じて数値が変化する変数と、で規定された計算式を用いることを特徴とする無線通信方法。
【請求項１１】
複数の無線基地局と、前記複数の無線基地局と協調マルチポイント送受信可能に構成されたユーザ端末と、を備えた無線通信システムであって、
前記ユーザ端末は、各セルにおける受信品質情報を生成する品質情報生成部と、前記無線基地局から送信されたデータ信号の受信可否を判断して再送制御信号を生成する再送制御信号生成部と、少なくとも前記再送制御信号を前記無線基地局にフィードバックする送受信部と、を有し、
前記無線基地局は、前記ユーザ端末からフィードバックされる再送制御信号を判定する判定部と、各セルにおける受信品質情報を用いて協調マルチポイント送受信用のＣＱＩを更新するＣＱＩ更新部と、を有し、前記ＣＱＩ更新部が、各セルにおける受信品質情報と、再送制御信号の内容に応じて数値が変化する変数と、で規定された計算式を用いて前記ＣＱＩを更新することを特徴とする無線通信システム。
【発明の詳細な説明】
【技術分野】
【０００１】
本発明は、セルラーシステム等に適用可能な無線基地局、ユーザ端末、無線通信方法及び無線通信システムに関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband‐Code  Division  Multiple  Access）をベースとしたシステムの特徴を最大限に引き出すことが行われている。このＵＭＴＳネットワークについては、更なる高速データレート、低遅延などを目的としてＬＴＥ（Long  Term  Evolution）が検討されている（非特許文献１）。
【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【０００４】
また、ＬＴＥ方式のシステムでは、無線基地局が最適なスケジューリングを行うために、ユーザ端末がチャネル状態を報告している。このチャネル状態を報告するためのパラメータとして、適応変復調及び符号化処理（ＡＭＣ：Adaptive  Modulation  and  Coding  scheme）に用いるための下りリンクの品質情報（ＣＱＩ：Channel  Quality  Indicator）が規定されている。このようなＣＱＩを含むチャネル状態情報（ＣＳＩ：Channel  State  Information）をユーザ端末から無線基地局にフィードバックすることにより、スケジューリングを行っている。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
ところで、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。
【０００７】
そこで、３ＧＰＰ（3rd  Generation  Partnership  Project）では、セル間直交化を実現するための技術として、協調マルチポイント送受信（ＣｏＭＰ：Coordinated  Multi-Point  transmission/reception）技術が検討されている。このＣｏＭＰ送受信では、１つあるいは複数のユーザ端末ＵＥに対して複数のセルが協調して送受信の信号処理を行う。例えば、下りリンクでは、プリコーディングを適用する複数セル同時送信、協調スケジューリング／ビームフォーミングなどが検討されている。これらのＣｏＭＰ送受信技術の適用により、特にセル端に位置するユーザ端末ＵＥのスループット特性の改善が期待される。
【０００８】
ＣｏＭＰ送受信技術を適用するためには、ユーザ端末から無線基地局に、複数のセル毎のチャネル状態情報（例えば、ＣＱＩ）をフィードバックする必要がある。また、無線基地局は、ユーザ端末からフィードバックされたセル毎のＣＱＩを用いて、ＣｏＭＰ用のＣＱＩを算出して、無線基地局で適用するＣｏＭＰ用ＣＱＩ情報を更新（アップデート）する。
【０００９】
無線基地局で算出されるＣｏＭＰ用ＣＱＩの精度を向上させる場合には、ユーザ端末から種々の情報をフィードバックする方法があるが、この場合ＣＳＩフィードバックのオーバーヘッドが大きくなる。一方で、ユーザ端末からフィードバックする情報量を少なくすることによりオーバーヘッドを抑制できるが、基地局装置で算出されるＣｏＭＰ用ＣＱＩの精度が低下し、ＣｏＭＰ送受信技術を効果的に適用することができず、スループットが向上されない。
【００１０】
本発明はかかる点に鑑みてなされたものであり、ＣｏＭＰ送信適用時において、フィードバック情報量の増加を抑制すると共に、スループットの低下を抑制することができる無線基地局、ユーザ端末、無線通信方法及び無線通信システムを提供することを目的とする。
【課題を解決するための手段】
【００１１】
本発明の無線基地局は、ユーザ端末に対して協調マルチポイント送受信可能に構成された無線基地局であって、前記ユーザ端末から、セル毎の受信品質情報及び再送制御信号を受信する受信部と、再送制御信号を判定する判定部と、受信したセル毎の受信品質情報を用いて協調マルチポイント送受信用のＣＱＩを更新するＣＱＩ更新部と、を有し、前記ＣＱＩ更新部は、前記セル毎の受信品質情報と、前記再送制御信号の内容に応じて数値が変化する変数と、で規定された計算式を用いてＣＱＩを更新することを特徴とする。
【発明の効果】
【００１２】
本発明によれば、ＣｏＭＰ送信適用時において、フィードバック情報量の増加を抑制すると共に、スループットの低下を抑制することができる。
【図面の簡単な説明】
【００１３】
【図１】協調マルチポイント送信を説明するための図である。
【図２】協調マルチポイント送受信に適用される無線基地局の構成を示す模式図である。
【図３】コヒーレントＪＴ型ＣｏＭＰ適用時における無線基地局とユーザ端末との間の手順の一例を示すシーケンス図である。
【図４】コヒーレントＪＴ型ＣｏＭＰ適用時におけるセル間の位相差情報（θ）の決定方法を説明する図。
【図５】無線通信システムのシステム構成を説明するための図である。
【図６】無線基地局の全体構成を説明するための図である。
【図７】無線基地局のベースバンド処理部に対応した機能ブロック図である。
【図８】ユーザ端末の全体構成を説明するための図である。
【図９】ユーザ端末のベースバンド処理部に対応した機能ブロック図である。
【発明を実施するための形態】
【００１４】
以下、本発明の実施の形態について、添付図面を参照して詳細に説明する。
【００１５】
まず、図１を用いて下りリンクのＣｏＭＰ送信について説明する。下りリンクのＣｏＭＰ送信としては、Coordinated  Scheduling/Coordinated  Beamformingと、Joint  processingとがある。Coordinated  Scheduling/Coordinated  Beamformingは、１つのユーザ端末ＵＥに対して１つのセルからのみ共有データチャネルを送信する方法であり、図１Ａに示すように、他セルからの干渉や他セルへの干渉を考慮して周波数／空間領域における無線リソースの割り当てを行う。一方、Joint  processingは、プリコーディングを適用して複数のセルから同時に共有データチャネルを送信する方法であり、図１Ｂに示すように、１つのユーザ端末ＵＥに対して複数のセルから共有データチャネルを送信するジョイントトランスミッション（ＪＴ：Joint  transmission）と、図１Ｃに示すように、瞬時に１つのセルを選択し共有データチャネルを送信するDynamic  Point  Selection（ＤＰＳ）とがある。
【００１６】
ＣｏＭＰ送受信を実現する構成としては、例えば、図２Ａに示すように、無線基地局（無線基地局ｅＮＢ）に対して光ファイバ等で接続された複数の遠隔無線装置（ＲＲＥ：Remote  Radio  Equipment）とを含む構成（ＲＲＥ構成に基づく集中制御）と、図２Ｂに示すように、無線基地局（無線基地局ｅＮＢ）の構成（独立基地局構成に基づく自律分散制御）とがある。なお、図２Ａにおいては、複数の遠隔無線装置ＲＲＥを含む構成を示すが、図１に示すように、単一の遠隔無線装置ＲＲＥのみを含む構成としてもよい。
【００１７】
図２Ａに示す構成（ＲＲＥ構成）においては、遠隔無線装置ＲＲＥ１、ＲＲＥ２を無線基地局ｅＮＢで集中的に制御する。ＲＲＥ構成では、複数の遠隔無線装置ＲＲＥのベースバンド信号処理及び制御を行う無線基地局ｅＮＢ（集中基地局）と各セル（すなわち、各遠隔無線装置ＲＲＥ）との間が光ファイバを用いたベースバンド信号で接続されるため、セル間の無線リソース制御を集中基地局において一括して行うことができる。すなわち、独立基地局構成で問題となる無線基地局ｅＮＢ間のシグナリングの遅延やオーバーヘッドの問題が小さく、セル間の高速な無線リソース制御が比較的容易となる。したがって、ＲＲＥ構成においては、下りリンクでは、複数セル同時送信のような高速なセル間の信号処理を用いる方法が適用できる。
【００１８】
一方、図２Ｂに示す構成（独立基地局構成）においては、複数の無線基地局ｅＮＢ（又はＲＲＥ）でそれぞれスケジューリングなどの無線リソース割り当て制御を行う。この場合においては、セル１の無線基地局ｅＮＢとセル２の無線基地局ｅＮＢとの間のＸ２インターフェースで必要に応じてタイミング情報やスケジューリングなどの無線リソース割り当て情報をいずれかの無線基地局ｅＮＢに送信して、セル間の協調を行う。
【００１９】
ＣｏＭＰ送信を適用する場合、無線基地局は、各ＣｏＭＰセルにおける受信品質情報を用いてＣｏＭＰ用のＣＱＩを算出して、無線基地局で適用するＣｏＭＰ用ＣＱＩ情報を更新（アップデート）する必要がある。受信品質情報としては、ユーザ端末において生成されて無線基地局にフィードバックされる量子化された品質情報（ＣＱＩ）や、各セルにおけるＳＩＮＲ（Signal  to  Interference  plus  Noise  Ratio）等が挙げられる。本実施の形態では、受信品質情報としていずれを適用してもよく、以下の説明では受信品質情報として「ＣＱＩ」と記す。
【００２０】
ところで、上述したジョイントトランスミッション（ＪＴ）型のＣｏＭＰにおいては、ユーザ端末に対して、各セルの無線基地局から同じタイミングで同じデータを送信する。また、ＪＴ型のＣｏＭＰにおいては、さらに、セル間の位相差情報（θ）を考慮せずに、ＣｏＭＰ用ＣＱＩを算出するノンコヒーレント型ＪＴ（non-coherent  JT）と、セル間の位相差情報（θ）を考慮してＣｏＭＰ用ＣＱＩを算出するコヒーレント型ＪＴ（coherent  JT）がある。
【００２１】
ノンコヒーレント型ＪＴでは、複数のセル（例えば、２セル）における受信品質情報（例えば、ＣＱＩ１、ＣＱＩ２）を用いてＣｏＭＰ用のＣＱＩ（以下、「ＣＱＩＪＴ」と記す）を算出して、ＣＱＩＪＴ情報の更新（アップデート）を行う。例えば、無線基地局は、各セルにおけるＣＱＩ１とＣＱＩ２に基づいて、以下の式１を適用して、ＣＱＩＪＴを算出することが検討されている。
【００２２】
【数１】
0005948099.tif 000002
【００２３】
なお、ここでのＣＱＩ１、ＣＱＩ２は、例えば、それぞれ１番目に受信電力が高いＣｏＭＰセルのＳＩＮＲと、２番目に受信電力が高いＣｏＭＰセルのＳＩＮＲと定義することができる。また、ＳＩＮＲにおける干渉信号電力は、ＣｏＭＰ協調セル外の干渉とすればよい。もちろん、ユーザ端末からフィードバックされるＣＱＩを用いてもよい。
【００２４】
上記式１を適用してＣＱＩＪＴを算出する場合、セル間の位相差情報が考慮されていない。このため、各セルにおけるＣＱＩ１とＣＱＩ２の位相差が大きい場合には、無線基地局で算出されるＣＱＩＪＴが不正確となる（過小評価された値となる）。その結果、スループットが低下するおそれがある。一方で、セル間の位相差を補正するために、以下の式２に示すように補正値を規定した計算式を適用する方法も考えられる。
【００２５】
【数２】
0005948099.tif 000003
【００２６】
しかし、本発明者らが検討によれば、セル間の位相差の影響を考慮した上記式２を適用してＣＱＩＪＴを算出する場合であっても、無線基地局で算出されるＣＱＩＪＴが不正確となる（過大評価された値となる）場合があることを見出した。
【００２７】
一方で、基地局装置におけるＣＱＩＪＴの算出値の精度を向上するため、ユーザ端末において、各セルにおけるＣＱＩ（例えば、ＣＱＩ１とＣＱＩ２）の合成値（CQIaggregated）を算出して、当該合成値（CQIaggregated）を無線基地局にフィードバックすることも考えられるが、ＣＳＩフィードバックのオーバーヘッドが大きくなる問題がある。
【００２８】
そこで、本発明者らが検討を行ったところ、無線基地局で算出するＣＱＩＪＴの精度とユーザ端末からフィードバックされる再送制御信号の結果が関連していることを見出した。具体的には、無線基地局が算出するＣＱＩＪＴが過大評価である場合には、再送制御信号がＮＡＣＫとなり、過小評価（又は適切に評価）である場合には、再送制御信号がＡＣＫとなる。そこで、本発明者らは、ＣＱＩＪＴの算出・更新方法として、各セルにおける受信品質情報と、再送制御信号の内容に応じて数値が変化する変数と、で規定された計算式を適用することを着想して本願発明に至った。
【００２９】
また、コヒーレント型ＪＴでは、各セルにおける受信品質情報（例えば、ＣＱＩ１、ＣＱＩ２）に加えて、ユーザ端末からフィードバックされるセル間の位相差情報（θ）を用いて、ＣＱＩＪＴを算出して更新（アップデート）する。つまり、位相差情報を考慮してＣＱＩＪＴを算出するため、ノンコヒーレントＪＴと比較して、ＣＱＩＪＴを正確に算出することができると考えられる。
【００３０】
この場合、ユーザ端末では、各セルにおけるＣＱＩの合成値（CQIaggregated）が最大となるように位相差情報（θ）を決定して、無線基地局に当該位相差情報をフィードバックする。しかし、本発明者らの検討によれば、各セルにおけるＣＱＩの合成値（CQIaggregated）が最大となる位相差情報を適用してＣＱＩＪＴを算出する場合であっても、算出したＣＱＩＪＴが不正確となりスループットが低下する場合があることを見出した。そこで本発明者らは、ユーザ端末において、各セルにおける品質情報の合成値（CQIaggregated）の最大値と、ＣＱＩＪＴの算出値を考慮して位相差情報を決定することにより、ＣＱＩＪＴの更新をより正確にできることを見出した。
【００３１】
以下に、ノンコヒーレントＪＴ型のＣｏＭＰ適用時におけるＣＱＩＪＴの更新方法、コヒーレントＪＴ型のＣｏＭＰ適用時における位相差情報（θ）の決定方法及びＣＱＩＪＴの更新方法について詳細に説明する。なお、以下の説明では、２つのセル間でＣｏＭＰ送信を行う場合を例に挙げるが、本実施の形態は３つ以上のセル間でＣｏＭＰ送信を行う場合にも同様に適用することができる。
【００３２】
（ノンコヒーレントＪＴ）
ノンコヒーレントＪＴ型のＣｏＭＰを適用する場合、無線基地局は、各セルにおけるＣＱＩ（ここでは、ＣＱＩ１とＣＱＩ２）と、再送制御信号の内容に応じて変動するパラメータと、を含む計算式を用いてＣＱＩＪＴを算出して更新する。例えば、無線基地局は、再送制御信号（ＡＣＫ／ＮＡＣＫ）の内容に応じて数値が変化する変数（β）が規定された以下の式３を用いてＣＱＩＪＴの算出を行う。
【００３３】
【数３】
0005948099.tif 000004
【００３４】
このように、式３では、ＣＱＩ１とＣＱＩ２の２つのベクトル値の和を計算する際に補正するための二項定理（Binomial  theorem）に変数となるβを掛けている。上記式３におけるβとしは、初期値を所定値（例えば、２）に設定し、再送制御信号の内容に応じてβの値を変動していくことができる。この際、βが取り得る候補値の範囲をあらかじめ設定しておくことができる。例えば、βを変化させる変動幅（Δβ）を０．５とし、再送制御信号の内容に応じて−２．０〜４．０の範囲（[−２、−１．５、−１．０、．．．、４．０]）でβを変動させる。また、変数βを上記式の右側の全体に掛ける方法も可能である。
【００３５】
無線基地局は、ユーザ端末からフィードバックされる再送制御信号が“ＡＣＫ”である場合、無線基地局で設定しているＣＱＩＪＴが過小評価（又は適正）であると判断して、βの値を上げる（又は維持する）。一方、ユーザ端末からフィードバックされる再送制御信号が“ＮＡＣＫ”である場合、無線基地局で設定しているＣＱＩＪＴが過大評価（又は適正）であると判断して、βの値を下げる。
【００３６】
一例として、無線基地局は、βの初期値を“２”に設定し、ユーザ端末からフィードバックされる再送制御信号が“ＡＣＫ”である場合、βの値を２から２．５に増やしてＣＱＩＪＴの計算を行ってＣＱＩＪＴ情報を更新する。一方、ユーザ端末からフィードバックされる再送制御信号が“ＮＡＣＫ”である場合、βの値を２から１．５に減らしてＣＱＩＪＴの計算を行ってＣＱＩＪＴ情報を更新する。
【００３７】
なお、無線基地局は、ユーザ端末からフィードバックされる１回の再送制御信号の内容に応じて、βの値を変化させてもよいし、同一の内容の再送制御信号が複数回連続した場合に、βの値を変化させる構成としてもよい。また、βの値を変化させる基準として、ＡＣＫが連続する回数とＮＡＣＫが連続する回数を異ならせてもよい。一例として、βを変化させる基準となるＡＣＫの連続受信回数をＮＡＣＫの連続受信回数より多くすることができる。
【００３８】
また、無線基地局は、ユーザ端末からフィードバックされる再送制御信号の傾向を考慮して、βの初期値及び／又はβの変動幅（Δβ）を再設定してもよい。
【００３９】
このように、無線基地局が各セルにおけるＣＱＩと、再送制御信号の結果に応じて値が変化する変数とが規定された計算式を用いてＣＱＩＪＴ情報の更新を行うことにより、情報をＣＱＩＪＴ情報の更新に適用しない場合であっても、セル間の位相差による影響を低減することができる。これにより、無線基地局は、ＣＱＩＪＴ情報の更新をより正確に行うことができ、スループットの低下を抑制することができる。特に、本実施の形態を適用することにより、ユーザ端末から各セルのＣＱＩの合成値（CQIaggregated）のフィードバックを行わない場合であっても、無線基地局におけるＣＱＩＪＴ情報の計算・更新をより正確に行うことが可能となる。
【００４０】
（コヒーレントＪＴ）
コヒーレントＪＴ型のＣｏＭＰを適用する場合、ユーザ端末は、各セルにおけるＣＱＩ（例えば、ＣＱＩ１とＣＱＩ２）に加えて、セル間の位相差情報（θ）も無線基地局に通知する。一方、無線基地局は、各セルにおけるＣＱＩ及び位相差情報（θ）に基づいて、ＣＱＩＪＴの再計算を行うと共に、ＣＱＩＪＴ情報の更新を行う。
【００４１】
ユーザ端末において、無線基地局にフィードバックする位相差情報（θ）を決定する場合、ユーザ端末は、各セルのＣＱＩの合成値（CQIaggregated）が最大となるように特定の位相差を選択する。しかし、上述したように、各セルのＣＱＩの合成値（CQIaggregated）が最大となる位相差情報（θ）を決定して、フィードバックした場合であっても、無線基地局におけるＣＱＩＪＴの算出に正確に反映されない場合がある。
【００４２】
そこで、本実施の形態に係るユーザ端末は、１）各セルにおけるＣＱＩの合成値（CQIaggregated）の最大値に加えて、２）ＣＱＩＪＴの算出（更新値（CQIUpdate））を考慮して位相差情報（θ）を決定する。具体的には、ユーザ端末は、下記の２ステップで位相差情報（θ）を決定することができる。
【００４３】
（第１のステップ）
ユーザ端末は、各セルにおけるＣＱＩの合成値（CQIaggregated）と、無線基地局におけるＣＱＩＪＴの更新値（CQIUpdate）に基づいて、複数の位相差（位相差候補値）を選択する。具体的に、ユーザ端末は、複数の位相差の各々について、ＣＱＩの合成値（CQIaggregated）と、ＣｏＭＰ用のＣＱＩＪＴ（更新値（CQIUpdate））との差分をとる。更新値（CQIUpdate）の算出は無線基地局と同様に行うことができる。そして、複数の位相差（位相差候補値）の中から、差分の絶対値が所定値（ここでは、ＸｄＢ）未満となる位相差を選択する。例えば、ユーザ端末は、以下の式４を用いて位相差情報の候補値を選択する。
【００４４】
【数４】
0005948099.tif 000005
【００４５】
なお、ＣｏＭＰ用のＣＱＩＪＴ（CQIUpdate）は、無線基地局でＣＱＩＪＴの算出に用いる式（下記式６参照）をユーザ端末で適用する構成とすることができる。また、無線基地局で実際に適用する式が再送制御信号により変化する変数を有する場合には、無線基地局で実際に適用する式と異なる式（例えば、変数を固定値とした式）を適用してもよい。
【００４６】
また、ユーザ端末が位相差情報（θ）を決定する場合、あらかじめ複数の位相差の候補値（θｉ）を設定し（例えば、θｉ＝πｉ／２、ｉ＝０，１，２，３）、ユーザ端末が複数の位相差候補値の中から測定値に基づいて特定の位相差候補値を選択する方法がある。この方法を適用する場合、フィードバックする位相差情報のビット数を低減できる（ここでは、２ビット）。この場合、ユーザ端末は、フィードバックに選択可能な複数の位相差候補値の中からＣＱＩの合成値（CQIaggregated）と、無線基地局で計算されるＣｏＭＰ用のＣＱＩＪＴ（CQIUpdate）との差分値の絶対値が所定値未満となる位相差候補を選択すればよい。
【００４７】
（第２のステップ）
次に、ユーザ端末は、第１のステップで選択した複数の位相差候補値の中から、ＣＱＩの合成値（CQIaggregated）が最大となる特定の位相差情報（位相差候補値）を決定する（下記式５参照）。
【００４８】
【数５】
0005948099.tif 000006
【００４９】
ユーザ端末は、上記第２のステップにおいて決定した特定の位相差情報を無線基地局にフィードバックする。
【００５０】
無線基地局は、ユーザ端末からフィードバックされるセル毎のＣＱＩ（ここでは、ＣＱＩ１とＣＱＩ２）及び位相差情報（θ）に基づいて、ＣＱＩＪＴの計算を行うと共に、ＣＱＩＪＴ情報の更新を行う。例えば、無線基地局は、以下の式６を用いて、ＣＱＩＪＴの再計算を行うことができる。
【００５１】
【数６】
0005948099.tif 000007
【００５２】
上記式６において、βは固定値（例えば、２）とすることができる。この場合、ユーザ端末は、上記第１のステップにおけるＣＱＩＪＴ（CQIUpdate）の計算に上記式６（βが固定値（例えば、２））を適用することができる。
【００５３】
また、上記式６において、β及びｃｏｓ（θ）の一方又は双方を、ユーザ端末から通知される再送制御信号（ＡＣＫ／ＮＡＣＫ）の結果に応じて変化する変数とすることができる。例えば、βを固定値（例えば、２）として、再送制御信号の結果に応じてｃｏｓ（θ）の値を更新しもよいし、θとしてＵＥからフィードバックされた値を適用すると共にβの値を更新してもよいし、再送制御信号の結果に応じてβとｃｏｓ（θ）の値をそれぞれ更新してもよい。また、変数βを上記式の右側の全体に掛ける方法も可能である。
【００５４】
この場合、無線基地局は、ユーザ端末からフィードバックされる再送制御信号が“ＡＣＫ”であれば、βとｃｏｓ（θ）の一方又は双方の値を上げる（又は維持する）。一方、ユーザ端末からフィードバックされる再送制御信号が“ＮＡＣＫ”であれば、βとｃｏｓ（θ）の一方又は双方の値を下げることができる。
【００５５】
なお、βの初期値、間隔等は、上記ノンコヒーレントＪＴ型のＣｏＭＰと同様に設定することができる。また、ｃｏｓ（θ）についても、変動幅等を適宜設定することができる。
【００５６】
以下に、コヒーレントＪＴ型のＣｏＭＰを適用する際に、ＵＥにおける位相差情報の決定及び無線基地局におけるＣＱＩＪＴ情報の更新方法の一例について図３、図４を参照して具体的に説明する。なお、以下の説明では、２つのセルを用いてＣｏＭＰを適用する場合を想定している。また、ユーザ端末は、無線基地局にフィードバックする位相差情報として、４種類（２ビット）の位相差（θｉ＝πｉ／２、ｉ＝０，１，２，３）の候補値の中から一つの位相差情報を選択する場合を示している。
【００５７】
まず、ユーザ端末は、ＣｏＭＰセル毎のＣＱＩ（ＣＱＩ１、ＣＱＩ２）を生成する（図３のＳＴ１１）。具体的にユーザ端末は、図４Ａに示す情報に基づいて、各セルにおけるＣＱＩ（ＣＱＩ１、ＣＱＩ２）と、４種類の位相差に対応するＣＱＩの合成値（CQIaggregated）、ＣｏＭＰ用ＣＱＩＪＴの更新値（CQIUpdate）を算出する。図４Ａでは、ユーザ端末に対するサービングポイント（又は協調ポイント）のチャネル行列（channel  matrix）を示すＨ１、Ｈ２と、サービングポイント（又は協調ポイント）のプリコーダー（precoder）を示すＷ１、Ｗ２と、ＣｏＭＰ協調セル外の干渉とノイズの合計値（ＩＣＩ＋Ｎ０）が示されている。
【００５８】
ユーザ端末は、各セルにおけるＣＱＩ（ＣＱＩ１、ＣＱＩ２）は以下の式７で算出し、ＣＱＩの合成値（CQIaggregated）は以下の式８で算出し、ＣＱＩの更新値（CQIUpdate）は以下の式９で算出することができる。なお、式７におけるＣＱＩ１、ＣＱＩ２の式は、本明細書における他の式のＣＱＩ１、ＣＱＩ２についても適用できる。
【００５９】
【数７】
0005948099.tif 000008
【００６０】
【数８】
0005948099.tif 000009
【００６１】
【数９】
0005948099.tif 000010
【００６２】
図４Ｂは、上記式７〜９で算出したＣＱＩ１、ＣＱＩ２、各位相差候補値に対するＣＱＩの合成値（CQIaggregated）及びＣＱＩＪＴの更新値（CQIUpdate）示している。続いて、ユーザ端末は、図４Ｂに基づいて、複数の位相差情報の候補値の中から無線基地局にフィードバックする特定の位相差情報を決定する（図３のＳＴ１２）。
【００６３】
ここで、従来のように、ＣＱＩの合成値（CQIaggregated）のみを考慮して、位相差情報を選択する場合、ユーザ端末は、ＣＱＩの合成値（CQIaggregated）が最大（１８）となる位相差情報（θ２）を選択することとなる。しかし、無線基地局にフィードバックされる位相差情報がθ２である場合、無線基地局におけるＣＱＩＪＴの更新値（CQIUpdate）は低くなる。つまり、合成値（CQIaggregated）と更新値（CQIUpdate）の差異が大きくなる。この場合、無線基地局で更新されるＣＱＩが不正確となるため、無線基地局が当該更新値（CQIUpdate）に基づいて無線通信制御を行うとスループットの低下が生じるおそれがある。
【００６４】
そこで、本実施の形態では、ユーザ端末は、まずＣＱＩの合成値（CQIaggregated）と更新値（CQIUpdate）との差の絶対値が所定値（ＸｄＢ）より小さい位相差情報の候補値を選択する（第１のステップ）。なお、Ｘは、ＣＱＩＪＴの更新値（CQIUpdate）の精度とスループットとの関係を考慮して設定することができる。続いて、ユーザ端末は、当該選択した位相差情報の候補値の中からＣＱＩの合成値（CQIaggregated）が最大となる特定の位相差情報を選択する（第２のステップ）。
【００６５】
ここでは、ユーザ端末は、ＣＱＩの合成値（CQIaggregated）と更新値（CQIUpdate）との差の絶対値が小さくなる位相差情報（θ１）と（θ３）を選択する（上記式４参照）。続いて、ユーザ端末は、位相差情報（θ１）と（θ３）のうち、ＣＱＩの合成値（CQIaggregated）が最大となる位相差情報を選択する（上記式５参照）。ここでは、位相差情報（θ１）と（θ３）におけるＣＱＩの合成値（CQIaggregated）が同一であるため、位相差情報（θ１）と（θ３）のいずれか一方を選択する。
【００６６】
次に、ユーザ端末は、位相差情報（θ１とθ３のいずれか一方）等を無線基地局にフィードバックする（図３のＳＴ１３）。また、ユーザ端末は、無線基地局から受信したデータが正しく受信出来たかどうかを示す再送制御信号も無線基地局にフィードバックする。
【００６７】
無線基地局は、各セルにおけるＣＱＩ１、ＣＱＩ２、位相差情報（θ１とθ３のいずれか一方）に基づいて、ＣＱＩＪＴを計算してＣＱＩＪＴ情報を更新する（図３のＳＴ１４）。なお、無線基地局におけるＣＱＩＪＴの算出は、上記式６等を用いて行うことができる。
【００６８】
このように、本実施の形態では、ユーザ端末において、ＣＱＩＪＴの更新値（CQIUpdate）を考慮してフィードバックする位相差情報を決定しているため、無線基地局において更新するＣＱＩの精度を向上し、スループットを向上することが可能となる。
【００６９】
（無線通信システムの構成）
以下に、本実施の形態に係る無線通信システムについて詳細に説明する。図５は、本実施の形態に係る無線通信システムのシステム構成の説明図である。なお、図５に示す無線通信システムは、例えば、ＬＴＥシステム或いは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれても良く、４Ｇと呼ばれても良い。
【００７０】
図５に示すように、無線通信システム１は、無線基地局２０Ａ，２０Ｂと、この無線基地局２０Ａ，２０Ｂと通信する複数の第１、第２のユーザ端末１０Ａ，１０Ｂとを含んで構成されている。無線基地局２０Ａ，２０Ｂは、上位局装置３０と接続され、この上位局装置３０は、コアネットワーク４０と接続される。また、無線基地局２０Ａ，２０Ｂは、有線接続又は無線接続により相互に接続されている。第１、第２のユーザ端末１０Ａ，１０Ｂは、セルＣ１，Ｃ２において無線基地局２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。なお、セル間では、必要に応じて、複数の基地局によりＣｏＭＰ送信の制御が行われる。
【００７１】
第１、第２のユーザ端末１０Ａ，１０Ｂは、ＬＴＥ端末及びＬＴＥ−Ａ端末を含むが、以下においては、特段の断りがない限り第１、第２のユーザ端末として説明を進める。また、説明の便宜上、無線基地局２０Ａ，２０Ｂと無線通信するのは第１、第２のユーザ端末１０Ａ，１０Ｂであるものとして説明するが、より一般的には移動端末装置も固定端末装置も含むユーザ装置（ＵＥ）でよい。
【００７２】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、上りリンクの無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７３】
下りリンクの通信チャネルは、第１、第２のユーザ端末１０Ａ，１０Ｂで共有される下りデータチャネルとしてのＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００７４】
上りリンクの通信チャネルは、各ユーザ端末で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、送信データや上位制御情報が伝送される。また、ＰＵＣＣＨにより、下りリンクの受信品質情報（ＣＱＩ）、ＡＣＫ／ＮＡＣＫなどが伝送される。
【００７５】
図６を参照しながら、本実施の形態に係る無線基地局の全体構成について説明する。なお、無線基地局２０Ａ，２０Ｂは、同様な構成であるため、無線基地局２０として説明する。また、後述する第１、第２のユーザ端末１０Ａ，１０Ｂも、同様な構成であるため、ユーザ端末１０として説明する。
【００７６】
無線基地局２０は、送受信アンテナ２０１と、アンプ部２０２と、送受信部（通知部）２０３と、ベースバンド信号処理部２０４と、呼処理部２０５と、伝送路インターフェース２０６とを備えている。下りリンクにより無線基地局２０からユーザ端末に送信される送信データは、上位局装置３０から伝送路インターフェース２０６を介してベースバンド信号処理部２０４に入力される。
【００７７】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【００７８】
また、ベースバンド信号処理部２０４は、報知チャネルにより、同一セルに接続するユーザ端末１０に対して、各ユーザ端末１０が無線基地局２０との無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【００７９】
送受信部２０３は、ベースバンド信号処理部２０４から出力されたベースバンド信号を無線周波数帯に変換する。アンプ部２０２は周波数変換された無線周波数信号を増幅して送受信アンテナ２０１へ出力する。なお、送受信部２０３は、複数セル間の位相差等の情報及びＰＭＩを含む上りリンク信号を受信する受信手段、及び送信信号を協調マルチポイント送信する送信手段を構成する。また、送受信部２０３は、無線基地局がユーザ端末に対してセル間ＣＳＩ候補値を通知する際の通知部としても機能する。
【００８０】
一方、上りリンクによりユーザ端末１０から無線基地局２０に送信される信号については、送受信アンテナ２０１で受信された無線周波数信号がアンプ部２０２で増幅され、送受信部２０３で周波数変換されてベースバンド信号に変換され、ベースバンド信号処理部２０４に入力される。
【００８１】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００８２】
呼処理部２０５は、通信チャネルの設定や解放等の呼処理や、無線基地局２０の状態管理や、無線リソースの管理を行う。
【００８３】
図７は、図６に示す無線基地局におけるベースバンド信号処理部の構成を示すブロック図である。ベースバンド信号処理部２０４は、レイヤ１処理部２０４１と、ＭＡＣ処理部２０４２と、ＲＬＣ処理部２０４３と、再送制御判定部２０４４と、ＣＱＩ演算／更新部２０４５と、から主に構成されている。
【００８４】
レイヤ１処理部２０４１は、主に物理レイヤに関する処理を行う。レイヤ１処理部２０４１は、例えば、上りリンクで受信した信号に対して、チャネル復号化、離散フーリエ変換（ＤＦＴ：Discrete  Fourier  Transform）、周波数デマッピング、逆高速フーリエ変換（ＩＦＦＴ：Inverse  Fast  Fourier  Transform）、データ復調などの処理を行う。また、レイヤ１処理部２０４１は、下りリンクで送信する信号に対して、チャネル符号化、データ変調、周波数マッピング、逆高速フーリエ変換（ＩＦＦＴ）などの処理を行う。
【００８５】
ＭＡＣ処理部２０４２は、上りリンクで受信した信号に対するＭＡＣレイヤでの再送制御、上りリンク／下りリンクに対するスケジューリング、ＰＵＳＣＨ／ＰＤＳＣＨの伝送フォーマットの選択、ＰＵＳＣＨ／ＰＤＳＣＨのリソースブロックの選択などの処理を行う。
【００８６】
ＲＬＣ処理部２０４３は、上りリンクで受信したパケット／下りリンクで送信するパケットに対して、パケットの分割、パケットの結合、ＲＬＣレイヤでの再送制御などを行う。
【００８７】
再送制御判定部２０４４は、ユーザ端末からフィードバックされる再送制御信号（ＡＣＫ／ＮＡＣＫ）を判定する。フィードバック情報がＡＣＫである場合には、ユーザ端末が適切に信号を受信したと判断し、フィードバック情報がＮＡＣＫである場合には、ユーザ端末が信号の受信に失敗したと判断し、ユーザ端末に対して同一の信号を再送する。また、再送制御判定部２０４４において判定された結果は、ＣＱＩ演算／更新部２０４５に出力される。
【００８８】
ＣＱＩ演算／更新部２０４５は、各セルにおけるＣＱＩ（例えば、ＣＱＩ１、ＣＱＩ２）に基づいて、ＣＱＩＪＴを計算してＣＱＩＪＴ情報の更新を行う。例えば、ノンコヒーレントＪＴ型のＣｏＭＰを適用する場合、無線基地局は各セルにおけるＣＱＩ１とＣＱＩ２と、再送制御判定部２０４４から出力される再送制御信号の内容に応じて値が変化する変数と、が規定された計算式を用いてＣＱＩＪＴを再計算して更新する。例えば、無線基地局は、上記式３を用いて、ＣＱＩＪＴ再計して更新する。
【００８９】
また、コヒーレントＪＴ型のＣｏＭＰを適用する場合、無線基地局は、各セルにおけるＣＱＩ１、ＣＱＩ２及び位相差情報（θ）に基づいて、ＣＱＩＪＴを再計算して更新する。例えば、無線基地局は、上記式６を用いて、ＣＱＩＪＴを再計して更新する。
【００９０】
次に、図８を参照しながら、本実施の形態に係るユーザ端末の全体構成について説明する。ＬＴＥ端末もＬＴＥ-Ａ端末もハードウエアの主要部構成は同じであるので、区別せずに説明する。ユーザ端末１０は、送受信アンテナ１０１と、アンプ部１０２と、送受信部（受信部）１０３と、ベースバンド信号処理部１０４と、アプリケーション部１０５とを備えている。
【００９１】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００９２】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。なお、送受信部１０３は、位相差の情報、接続セルの情報、選択されたＰＭＩなどを複数セルの無線基地局ｅＮＢに送信する送信手段、及び下りリンク信号を受信する受信手段を構成する。
【００９３】
図９は、図８に示すユーザ端末におけるベースバンド信号処理部の構成を示すブロック図である。ベースバンド信号処理部１０４は、レイヤ１処理部１０４１と、ＭＡＣ処理部１０４２と、ＲＬＣ処理部１０４３と、フィードバック情報生成部１０４４と、品質情報生成部１０４５と、位相差情報生成部１０４６と、から主に構成されている。
【００９４】
レイヤ１処理部１０４１は、主に物理レイヤに関する処理を行う。レイヤ１処理部１０４１は、例えば、下りリンクで受信した信号に対して、チャネル復号化、離散フーリエ変換（ＤＦＴ）、周波数デマッピング、逆高速フーリエ変換（ＩＦＦＴ）、データ復調などの処理を行う。また、レイヤ１処理部１０４１は、上りリンクで送信する信号に対して、チャネル符号化、データ変調、周波数マッピング、逆高速フーリエ変換（ＩＦＦＴ）などの処理を行う。
【００９５】
ＭＡＣ処理部１０４２は、下りリンクで受信した信号に対するＭＡＣレイヤでの再送制御（ＨＡＲＱ）、下りスケジューリング情報の解析（ＰＤＳＣＨの伝送フォーマットの特定、ＰＤＳＣＨのリソースブロックの特定）などを行う。また、ＭＡＣ処理部１０４２は、上りリンクで送信する信号に対するＭＡＣ再送制御、上りスケジューリング情報の解析（ＰＵＳＣＨの伝送フォーマットの特定、ＰＵＳＣＨのリソースブロックの特定）などの処理を行う。
【００９６】
ＲＬＣ処理部１０４３は、下りリンクで受信したパケット／上りリンクで送信するパケットに対して、パケットの分割、パケットの結合、ＲＬＣレイヤでの再送制御などを行う。
【００９７】
品質情報生成部１０４５は、各セルにおける品質情報（例えば、ＣＱＩ１、ＣＱＩ２）を生成する。測定した各セルの品質情報の測定値は、フィードバック情報生成部１０４４、位相差情報生成部１０４６に出力される。
【００９８】
位相差情報生成部１０４６は、ＣｏＭＰを適用するセル間の位相差情報を生成する。コヒーレントＪＴ型のＣｏＭＰを適用する場合、ユーザ端末は、無線基地局におけるＣＱＩＪＴの更新値（CQIUpdate）と、各セルのＣＱＩの合成値（CQIaggregated）の最大値を考慮して位相差情報を決定する。なお、このとき、更新値（CQIUpdate）及び（CQIaggregated）は、各セルのＣＱＩに基づいて、品質情報生成部１０４５又は位相差情報生成部１０４６で算出することができる。
【００９９】
具体的に、ユーザ端末は、まず各セルのＣＱＩの合成値（CQIaggregated）と更新値（CQIUpdate）との差の絶対値が所定値（ＸｄＢ）より小さくなる位相差情報を選択する（第１のステップ）。続いて、当該選択した位相差情報の中からＣＱＩの合成値（CQIaggregated）が最大となる特定の位相差情報を選択する（第２のステップ）。位相差情報生成部１０４６で決定された特定の位相差情報はフィードバック情報生成部１０４４に出力される。
【０１００】
フィードバック情報生成部１０４４は、フィードバック情報（ＣＳＩ）を生成する。ＣＳＩとしては、セル毎ＣＳＩ（ＰＭＩ、ＣＤＩ、ＣＱＩ）、位相差情報、ＲＩ（Rank  Indicator）などが挙げられる。また、ユーザ端末がデータ信号を適切に受信出来たか否かを示す再送制御信号（ＡＣＫ／ＮＡＣＫ）を生成する。これらのフィードバック制御情報生成部１０４４で生成された信号は、ＰＵＣＣＨやＰＵＳＣＨで無線基地局にフィードバックされる。
【０１０１】
ノンコヒーレントＪＴ型のＣｏＭＰを適用する場合、無線基地局の再送制御判定部２０４４は、ユーザ端末からフィードバックされた再送制御信号に基づいて、ユーザ端末が適切にデータを受信できたかどうか（ＡＣＫ／ＮＡＣＫ）を判定する。また、基地局のＣＱＩ演算／更新部２０４５は、各セルにおけるＣＱＩに基づいて、ＣＱＩＪＴを算出してＣＱＩＪＴ情報の更新を行う。この際、無線基地局は、再送制御信号の結果に応じて値が変化する変数を含む計算式（例えば、上記式３）を用いてＣＱＩＪＴの更新を行うことができる。
【０１０２】
また、コヒーレントＪＴ型のＣｏＭＰを適用する場合、ユーザ端末は、位相差情報生成部１０４６で生成した位相差情報を無線基地局にフィードバックする。無線基地局のＣＱＩ演算／更新部２０４５は、各セルにおけるＣＱＩ及び位相差情報に基づいて、ＣＱＩＪＴの更新を行う。また、この際、再送制御判定部２０４４から出力された結果に応じて値が変化するβ及び／又はｃｏｓ（θ）を含む計算式（例えば、上記式６）を用いてＣＱＩＪＴの更新を行うことができる。
【０１０３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０４】
１  無線通信システム
１０  ユーザ端末
２０  無線基地局
３０  上位局装置
４０  コアネットワーク
１０１  送受信アンテナ
１０２  アンプ部
１０３  送受信部（受信部）
１０４  ベースバンド信号処理部
１０５  アプリケーション部
２０１  送受信アンテナ
２０２  アンプ部
２０３  送受信部（通知部）
２０４  ベースバンド信号処理部
２０５  呼処理部
２０６  伝送路インターフェース
１０４１，２０４１  レイヤ１処理部
１０４２，２０４２  ＭＡＣ処理部
１０４３，２０４３  ＲＬＣ処理部
１０４４  フィードバック情報生成部
１０４５  品質情報生成部
１０４６  位相差情報生成部
２０４４  再送制御判定部
２０４５  ＣＱＩ演算／更新部
【図１】
0005948099.tif 000013
【図２】
0005948099.tif 000014
【図３】
0005948099.tif 000015
【図４】
0005948099.tif 000016
【図５】
0005948099.tif 000017
【図６】
0005948099.tif 000018
【図７】
0005948099.tif 000019
【図８】
0005948099.tif 000020
【図９】
0005948099.tif 000021